(57)【要約】      （修正有）【課題】フィルター芯が変形破壊するのを防止し、フィルター効果を保護するフィルター芯の固定装置を提供する。【解決手段】フィルター芯の固定装置２は、濾過設備１内部に設置し、少なくとも一つの第一固定部品２１、少なくとも一つの第二固定部品２２及び少なくとも一つのフィルター芯２３を含む。第一固定部品２１は前述の濾過設備内の上層位置にあり、ナット蓋２１１を具える。第二固定部品２２は前述の濾過設備内の下層位置にあり、カップ台２２１を具える。フィルター芯２３の最上部はナット蓋２１１を被せ、底部はカップ台２２１を嵌合し、フィルター芯２３の最上面と底端面はどちらも封鎖され、底端と底端周囲外壁はすべて包まれて固定されフィルター芯２３が変形して壊れるのを防止し、濾過設備１の濾過効果を高める。【選択図】図３
0003146355.tif 000002
【実用新案登録請求の範囲】
【請求項１】
濾過設備内部に設置し、該濾過設備内部には集水板を具え、該濾過設備内部は集水板を境とし、上方は進水空間で下方は出水空間を形成し、進水空間に設置するフィルター芯の固定装置において、
前述の濾過設備内の上層位置に固定され、ナット蓋を具える少なくとも一第一固定部品と、
前述の濾過設備内の下層位置に固定してカップ台を具え、該カップ台の中心には一出水孔を具え、該出水孔は該前述の出水空間と相互に連通する少なくとも一第二固定部品と、
中心に一出水空間を具え、最上部は前述のナット蓋を被せ、底部は前述のカップ台で受け、最上端面及び底端面を密封して濾過設備内部で固定する少なくとも一フィルター芯を含むことを特徴とするフィルター芯の固定装置。
【請求項２】
請求項１記載のフィルター芯の固定装置において、前記第二固定部品は、更に一パッド片を含み、該パッド片は環状でカップ台内に設置することを特徴とするフィルター芯の固定装置。
【請求項３】
請求項１記載のフィルター芯の固定装置において、前記第二固定部品は、すべて集水板面に固定されることを特徴とするフィルター芯の固定装置。
【請求項４】
請求項１記載のフィルター芯の固定装置において、前記集水板は、下面に他に少なくとも一固定台を具え、各固定台は第二固定部品に対応し、該固定台はパッド片抜取ユニットを螺設し、該パッド片抜取ユニットは第二固定部品の出水孔とフィルター芯の出水空間内に設置し、該固定台、パッド片抜取ユニットは該第二固定部品の出水孔を封鎖しないことを特徴とするフィルター芯の固定装置。
【請求項５】
請求項４記載のフィルター芯の固定装置において、前記パッド片抜取ユニットは、補助桿及び受盤を含み、該受盤の箇所には複数の貫通孔を具え、該受盤の最大直径はフィルター芯の外径より大きく、且つ出水空間の内径より大きく、該受盤は補助桿の底部に近い区段に結合し、組立時には該補助桿は固定台箇所に固定し、受盤はフィルター芯の下方位置に設置することを特徴とするフィルター芯の固定装置。
【請求項６】
請求項１記載のフィルター芯の固定装置において、前記第一固定部品は、更にパッド片を含み、該パッド片はナット蓋内に設置することを特徴とするフィルター芯の固定装置。
【請求項７】
請求項１記載のフィルター芯の固定装置において、前記第一固定部品は、ナット蓋、バネ及び定位部品を含み、該バネの一端はナット蓋の最上部に結合し、別一端は定位部品の底部に合わせ、該定位部品最上部は他に円筒形の突出した突部を具えることを特徴とするフィルター芯の固定装置。
【請求項８】
請求項７記載のフィルター芯の固定装置において、前記第一固定部品は、濾過設備内部の別の固定ユニットに固定され、該固定ユニットは、圧板、複数本の連接桿、複数個のナットを含み、該圧板箇所には少なくとも一定位孔及び複数の結合孔を具え、該連接桿の底部は集水板箇所で結合し、組立時、該圧板は該第一固定部品の最上部に押圧し、該第一固定部品の定位部品の突部は定位孔内に位置して連接桿の最上部段は圧板の結合孔から圧板上方位置を通り、該ネットは連接桿の最上部区段で螺設して圧板で押し、第一固定部品、フィルター芯を濾過設備内で固定することを特徴とするフィルター芯の固定装置。
【考案の詳細な説明】
【技術分野】
【０００１】
本考案は、フィルター芯の固定装置に関するもので、包装式でフィルター芯両端を固定する方式で、フィルター芯が変形破壊するのを防止し、フィルター効果を保護するものである。
【背景技術】
【０００２】
本考案で述べる「濾過設備」は工業用レベルであり、主に特殊液体を濾過するのに用いる。液体中の大きな顆粒もしくはその他の雑質を濾過して除去し、清浄度の高い液体にして濾過後の液体をスムーズに放出するか、もしくは再度更に一級上の濾過工程に進む。フィルター芯は濾過を行うための重要な鍵である。図１に示すのは、公知濾過設備のフィルター芯を固定する方式で、主にフィルター芯９１両端にはそれぞれ一最上蓋９２（図中では一端の構造のみを表示）を具える。該最上蓋９２の外径はフィルター芯９１の端面サイズより小さく、固定した時外力によって最上蓋９２箇所を押圧し、最上蓋９２がフィルター芯９１の端面を押さえ、フィルター芯９１を固定する目的を達成する。しかしながら、この種の方式でフィルター芯を固定すると、下述の問題がある。
１．フィルター芯の両端は変形しやすい。図２に示すのは、フィルター芯９１を一定期間使用した後、フィルター芯９１を取り外した概略図である。フィルター芯９１の端面は長時間最上蓋９２によって押圧されていたため、端面が凹み、辺縁の外側は変形していてフィルター芯９１を壊し、フィルター芯９１の使用寿命を縮めている。
２．濾過効果が落ちやすい。フィルター芯の構造は、主に液体が外壁から中心区域に向かって浸透していく。複数層の材質はこの原則に従って分布し、最上蓋９２がフィルター芯９１反面を押圧する時、フィルター芯９１端面は完全に封鎖することができない。濾過作業において、一部の濾過する液体は封鎖されていないフィルター芯９１端面を経て中心区域へ進むため、濾過効果及び品質に影響を与える。他に仮にフィルター芯端面が変形した場合、この種の正常に濾過されない状況は更に悪く、濾過効果が落ち、濾過した品質は安定しない。
【考案の開示】
【考案が解決しようとする課題】
【０００３】
本考案の主な目的は、フィルター芯の固定装置を提供し、フィルター芯の両端にそれぞれ、第一固定部品及び第二固定部品で嵌合して結合する方式を採用する。本考案によってフィルター芯の変形破壊を防止し、濾過効果を向上させ、公知濾過の液体がフィルター芯の最上端面と底端面から中心区域へ浸透する。
【０００４】
本考案の次の目的は、フィルター芯の固定効果を高める。本考案の第一固定部品及び第二固定部品内には他に一パッド片を設置し、フィルター芯両端を更にしっかりと封鎖し、フィルター芯で濾過する時、フィルター芯の両端面及び底端面は確実に封鎖される。
【０００５】
本考案のもう一つの目的は、パッド片の交換が容易な設計を提供し、本考案が使用する濾過設備内に別に一組のパッド片抜取ユニットを具えることにより、使用者は濾過設備下層の第二固定部品のパッド片を交換作業する時、簡単に作業でき、濾過設備の部品の使用寿命が伸び、同時に濾過設備の濾過品質は安定する。
【０００６】
上述の目的のため、本考案は主に一濾過設備内に少なくとも一組のフィルター芯固定装置を設置する。該濾過設備内部には一集水板を具え、該濾過設備は集水板を境として上方は進水空間、下方は出水空間となる。該フィルター芯固定装置は進水空間内に設置し、少なくとも一第一固定部品、少なくとも一第二固定部品及び少なくとも一フィルター芯を含む。該第一固定部品は前述の濾過設備内の上層位置に設置してナット蓋を具える。該第二固定部品は前述の濾過設備の下層位置に設置して一カップ台を具える。該カップ台の中心には一出水孔を具え、該出水孔は、前述の出水空間と相互に連通する。該フィルター芯の中心は一出水空間を具える。該フィルター芯の最上部は前述のナット蓋に被せ、底部は前述のカップ台で受け、該フィルター芯は濾過設備内部で固定される。
【課題を解決するための手段】
【０００７】
請求項１の考案は、濾過設備内部に設置し、該濾過設備内部には集水板を具え、該濾過設備内部は集水板を境とし、上方は進水空間で下方は出水空間を形成し、進水空間に設置するフィルター芯の固定装置において、
前述の濾過設備内の上層位置に固定され、ナット蓋を具える少なくとも一第一固定部品と、
前述の濾過設備内の下層位置に固定してカップ台を具え、該カップ台の中心には一出水孔を具え、該出水孔は該前述の出水空間と相互に連通する少なくとも一第二固定部品と、
中心に一出水空間を具え、最上部は前述のナット蓋を被せ、底部は前述のカップ台で受け、最上端面及び底端面を密封して濾過設備内部で固定する少なくとも一フィルター芯を含むことを特徴とするフィルター芯の固定装置としている。
請求項２の考案は、請求項１記載のフィルター芯の固定装置において、前記第二固定部品は、更に一パッド片を含み、該パッド片は環状でカップ台内に設置することを特徴とするフィルター芯の固定装置としている。
請求項３の考案は、請求項１記載のフィルター芯の固定装置において、前記第二固定部品は、すべて集水板面に固定されることを特徴とするフィルター芯の固定装置としている。
請求項４の考案は、請求項１記載のフィルター芯の固定装置において、前記集水板は、下面に他に少なくとも一固定台を具え、各固定台は第二固定部品に対応し、該固定台はパッド片抜取ユニットを螺設し、該パッド片抜取ユニットは第二固定部品の出水孔とフィルター芯の出水空間内に設置し、該固定台、パッド片抜取ユニットは該第二固定部品の出水孔を封鎖しないことを特徴とするフィルター芯の固定装置としている。
請求項５の考案は、請求項４記載のフィルター芯の固定装置において、前記パッド片抜取ユニットは、補助桿及び受盤を含み、該受盤の箇所には複数の貫通孔を具え、該受盤の最大直径はフィルター芯の外径より大きく、且つ出水空間の内径より大きく、該受盤は補助桿の底部に近い区段に結合し、組立時には該補助桿は固定台箇所に固定し、受盤はフィルター芯の下方位置に設置することを特徴とするフィルター芯の固定装置としている。
請求項６の考案は、請求項１記載のフィルター芯の固定装置において、前記第一固定部品は、更にパッド片を含み、該パッド片はナット蓋内に設置することを特徴とするフィルター芯の固定装置としている。
請求項７の考案は、請求項１記載のフィルター芯の固定装置において、前記第一固定部品は、ナット蓋、バネ及び定位部品を含み、該バネの一端はナット蓋の最上部に結合し、別一端は定位部品の底部に合わせ、該定位部品最上部は他に円筒形の突出した突部を具えることを特徴とするフィルター芯の固定装置としている。
請求項８の考案は、請求項７記載のフィルター芯の固定装置において、前記第一固定部品は、濾過設備内部の別の固定ユニットに固定され、該固定ユニットは、圧板、複数本の連接桿、複数個のナットを含み、該圧板箇所には少なくとも一定位孔及び複数の結合孔を具え、該連接桿の底部は集水板箇所で結合し、組立時、該圧板は該第一固定部品の最上部に押圧し、該第一固定部品の定位部品の突部は定位孔内に位置して連接桿の最上部段は圧板の結合孔から圧板上方位置を通り、該ネットは連接桿の最上部区段で螺設して圧板で押し、第一固定部品、フィルター芯を濾過設備内で固定することを特徴とするフィルター芯の固定装置としている。
【考案の効果】
【０００８】
本考案のフィルター芯の固定装置は、フィルター芯が使用によって変形せず、全体の濾過効果を高め、濾過の品質の安定性を保つという利点がある。
【考案を実施するための最良の形態】
【０００９】
図３に示すのは、本考案に使用する濾過設備の局部断面概略図である。本考案のフィルター芯固定装置２は、濾過設備１内部に設置し、該濾過設備１は、容器体１１及び上蓋１２から構成される。該上蓋１２は、重複して開けたり閉じたりする。容器体１１箇所にはそれぞれ進水管１３及び出水管１４を有し、該容器体１１内部の下層位置には集水板１５を具える。該濾過設備１の内部空間は、集水板１５を境として集水板１５上方が進水空間１６で該進水管１３管路は該進水空間１６と相互に連通する。該集水板１５下方は出水空間１７で該出水管１４管路は該出水空間１７と相互に連通する。この部分は濾過設備１の基本構造とし、公知と相似するため、詳述しない。本考案のフィルター芯固定構造２は、前述の進水空間１６内に設置し、少なくとも一第一固定部品２１、少なくとも一第二固定部品２２及び少なくともフィルター芯２３を含む。該第一固定部品は、該濾過設備１内の上層位置に固定され、ナット蓋２１１を具える。該第二固定部品２２は、該濾過設備１内の下層位置に固定し、カップ台２２１を具える。該カップ台２２１中心には出水孔２２３を具え、該出水孔２２３は、出水空間１７と相互に連通する。該フィルター芯２３の中心区域は中空で出水空間２３１を形成し、該フィルター芯２３最上部は前述のナット蓋２１１を被せ、底部は前述のカップ台２２１で受け、該フィルター芯２３が濾過設備１内部に固定された時、該フィルター芯２３最上端面及び底端はすべて密封され、前述両端周囲外壁は覆われる。
【００１０】
以下、各部品の構造を詳細に説明する。図４、５に示すのは、本考案のフィルター芯固定装置の断面拡大図及び分解図である。当図において、該集水板１５は局部の一区域のみを表示している。該第二固定部品２２は、前述の集水板１５上面に固定され、カップ台２２１及びパッド片２２２を含む。該カップ台２２１を形成する内径はフィルター芯２３の外径に相対し、該カップ台２２１の中心は出水孔２２３を具える。本実施例において、該出水孔２２３は集水板１５箇所に直接貫通した孔である。該パッド片２２２は環形状で、中心は封鎖されず、組立時はカップ台２２１内の底面に設置し、フィルター芯２３の底端面としっかり貼り合わさり、フィルター芯２３が濾過作業中、底端面の封鎖を確実にする。該第一固定部品２１は濾過設備１の上層位置に固定され、この部分の詳しい固定方式は後述する。該第一固定部品２１は、ナット蓋２１１及びパッド片２１２を含み、該ナット蓋２１１が形成する内径はフィルター芯２３の外径に相対する。該パッド片２１２の組立時、ナット蓋２１１内の底面に設置し、フィルター芯２３最上面としっかり貼り合わさり、フィルター芯２３の作業中の最上端と確実に密封する。該フィルター芯２３は多層複合式材で構成され、中心区域は中空で、出水空間２３１を形成し、組立時、該出水空間２３１は出水孔２２３と相互に連通する。
【００１１】
図３に示すとおり、濾過設備１を使用する時、濾過したい液体（例として現像液、化学混合溶剤等）を進水管１３から濾過設備１内へ送り、進水空間１６をいっぱいに満たし、複数個のフィルター芯２３周囲に分布させる。進水管１３から濾過したい液体が続いて入り、圧力によって液体は徐々にフィルター芯２３に滲みこみ、顆粒の大きな物質もしくは不要な雑質はフィルター芯２３に付着し、清浄な液体が出水空間２３１へ進入し、その後出水孔２２３から出水空間１７へ進んで集められ、出水管１４から液体が放出されるか、もしくは次の濾過設備へ送られる。フィルター芯２３両端は、第一固定部品２１、及び第二固定部品２２によって固定され、濾過したい液体はフィルター芯２３外壁から中心の出水空間２３１まで浸透するため、公知式のようなフィルター芯２３の最上面もしくは底端面が出水空間２３１へ進むことがないため、本考案によってフィルター芯の濾過品質が高まり、安定する。
【００１２】
更に本実施例において、該第一固定部品２１のパッド片２１２及び、第二固定部品のパッド片２２２はすべて交換可能方式を採用している。該第一固定部品２１は濾過設備１の上層位置にあり、パッド片２１２が老化もしくは変形した場合、一組の新品に交換すればよい。但し、該第二固定部品２２は濾過設備１の下層位置にあり、本考案の濾過設備１は工業用レベルで一つ一つの該容器体１１の高さは一メートル以上に達するため、本考案では濾過設備１内に別に一パッド片抜取ユニット３を増設し、ユーザーがパッド片２２２の交換作業をしやすくしている。図３、４に示すとおり、該パッド片抜取ユニット３は一補助桿３１及び受盤３２を含む。該補助桿３１の長さは該フィルター芯２３の長さの総計を超えず、約三分の二の長さである。該補助桿３１の底部区域に近い外壁には外ネジ紋３１１を具える。該受盤３２箇所には複数個の貫通孔３２１を具え、該受盤３２の最大直径は該フィルター芯２３の外径より小さく、且つパッド片２２２の中心孔と出水空間２３１の内径より大きく、同時に出水孔２２３の直径より大きい。該受盤３２は補助桿３１の底部に近い区域に結合し、両者の結合方式はネジ固定、はんだ付けもしくはその他ナット補助固定すべてよい。本実施例はネジ固定方式である。該パッド片抜取ユニット３を固定するため、該集水板１５の下面は少なくとも一個の固定台１８を結合し、該固定台１８の数と位置はすべて第二固定部品２２に対応し、該固定台１８の形状は上向き「コ」の字型で、中心位置には一内ネジ紋孔１８１を具える。
【００１３】
組立時、該補助桿３１底部は、外ネジ紋３１１で固定台１８の内ネジ紋孔１８１に結合し、該補助桿３１は、出水孔２２３とフィルター芯２３の出水空間２３１内に設置する。但し、該受盤３２は第二固定部品２２のパッド片２２２下方区域に置く。本実施例では該受盤３２と固定台１８はどちらも出水孔２２３を完全に封鎖しているため、濾過後に液体が流出する影響がない。パッド片２２２交換作業の時、先ずフィルター芯２３を濾過設備１内から抜き取り、その後手を濾過設備１内に伸ばし入れ、該補助桿３１を回転し、補助桿３１底端を固定台１８の内ネジ紋孔１８１から外し、該補助桿３１を取り出す。受盤３２でパッド片２２２をカップ台２２１から離すと、パッド片２２２の交換作業が完了する。設置時には反対の工程で行えばよい。このようにして使用者は深さが一メートル以上の容器体１１内で濾過設備１下層にある第二固定部品２２のパッド片２２２を交換する作業が簡単に行える。
【００１４】
該第一固定部品２１は、濾過設備１内の上層位置に固定され、固定方式は数々の異なる方式で実施するが、本考案ではそのうちの一種の実施例について説明する。例として、第三、四図に示すとおり、該第一固定部品２１は更にバネ２１３及び定位部品２１４を含む。該バネ２１３底端はナット蓋２１１最上部に結合し、最上端は定位部品２１４底部で結合する。該定位部品２１４は円盤状で、中心は突部２１４１を具え、該突部２１４１は円筒状で上向きに突起する。第四、五図に示すとおり、該濾過設備１は他に固定ユニット４を具え、該固定ユニット４は複数個の第一固定部品２１とフィルター芯２３を濾過設備１内部に一緒に定位及び固定する。該固定ユニット４は、一圧板４１、複数の連接桿４２、複数のナット４３を含む。該圧板４１は円盤状で、図５では局部のみを表示しており、該圧板４１は容器体１１内壁に固定しているわけでない。該圧板４１は少なくとも一定位孔４１１及び複数の結合孔４１２を具え、該定位孔４１１の数及び位置は該濾過設備１内の第一固定部品２１の数に対応する。該定位孔４１１の直径は第一固定部品２１の突部２１４１より大きい。該結合孔４１２の数と位置は複数の連接桿４２に対応する。該連接桿４２底部は集水板１５に結合し、最上部外壁は外ネジ紋段４２１を具え、該連接桿４２の長さはフィルター芯２３よりもずっと長い。
【００１５】
図６に示すとおり、組立時、該フィルター芯２３底端を先ず、第二固定部品２２のカップ台２２１箇所に置き、該第一固定部品２１はナット蓋２１１をフィルター芯２３の最上端に被せ、次に該圧板４１を第一固定部品２１の最上部に押し、該突部２１４１を圧板４１に相対する定位孔４１１内に設置する。このように該濾過設備１内の複数の第一固定部品２１と複数のフィルター芯２３は簡単に定位、固定する。定位するために置くと同時に、該連接桿４２最上部区段もまた圧板４１の結合孔４１２から出す。本実施例では濾過設備１内の異なる位置に三本の連接桿４２（図中では一本のみ表示）がある。その後ナット４３を連接桿４２最上部の外ネジ紋４２１区段でネジ止めし同時に圧板４１を押すことによってナット蓋２１１がしっかりとフィルター芯２３最上部に設置される。該第一固定部品２１によってナット蓋２１１と圧板４１の間にバネ２１３を具え、ひとつにはナット蓋２１１をフィルター芯２３最上端にしっかり押圧し、ひとつには閉めすぎた時の緩衝となりフィルター芯２３が変形して壊れるのを防止する。他に該定位部品２１４の中心と第二固定部品２２の中心が合わない時、バネ２１３によって軽く移動する。固定ユニット４で第一固定部品２１、フィルター芯２３を濾過設備１内部に固定する。
【００１６】
上述のとおり、本考案のフィルター芯の固定装置は、一濾過設備内に設置し、第一固定部品と第二固定部品をそれぞれフィルター芯の最上面と底端面に嵌合することにより、フィルター芯が使用によって変形せず、濾過効果全体を高め、濾過の品質の安定性を保つ。
【図面の簡単な説明】
【００１７】
【図１】公知のフィルター芯の固定方式の概略図である。
【図２】公知のフィルター芯変形後の概略図である。
【図３】本考案の濾過設備の局部断面概略図である。
【図４】本考案のフィルター芯の固定装置の断面拡大図である。
【図５】図４の分解図である。
【図６】本考案のフィルター設備の別の広範囲の局部断面概略図である。
【符号の説明】
【００１８】
１        濾過設備
１１        容器体
１２        上蓋
１３        進水管
１４        出水管
１５        集水板
１６        進水空間
１７        出水空間
１８        固定台
１８１        内ネジ紋孔
２        フィルター芯固定装置
２１        第一固定部品
２１１        ナット蓋
２１２        パッド片
２１３        バネ
２１４        定位部品
２１４１        突部
２２        第二固定部品
２２１        カップ台
２２２        パッド片
２２３        出水孔
２３        フィルター芯
２３１        出水空間
３        パッド片抜取ユニット
３１        補助桿
３１１        外ネジ紋
３２        受盤
３２１        貫通孔
４        固定ユニット
４１        圧板
４１１        定位孔
４１２        結合孔
４２        連接桿
４３        ナット
９１        フィルター芯
９２        最上蓋
【図１】
0003146355.tif 000003
【図２】
0003146355.tif 000004
【図３】
0003146355.tif 000005
【図４】
0003146355.tif 000006
【図５】
0003146355.tif 000007
【図６】
0003146355.tif 000008
【手続補正書】
【提出日】平成20年9月16日(2008.9.16)
【手続補正１】
【補正対象書類名】実用新案登録請求の範囲
【補正対象項目名】全文
【補正方法】変更
【補正の内容】
【実用新案登録請求の範囲】
【請求項１】
濾過設備内部に設置し、該濾過設備内部には集水板を具え、該濾過設備内部は集水板を境とし、上方は進水空間で下方は出水空間を形成し、進水空間に設置するフィルター芯の固定装置において、
前述の濾過設備内の上層位置に固定され、ナット蓋を具える少なくとも一つの第一固定部品と、
前述の濾過設備内の下層位置に固定してカップ台を具え、該カップ台の中心には出水孔を具え、該出水孔は該前述の出水空間と相互に連通する少なくとも一つの第二固定部品と、
中心に出水空間を具え、最上部は前述のナット蓋を被せ、底部は前述のカップ台で受け、最上端面及び底端面を密封して濾過設備内部で固定する少なくとも一つのフィルター芯を含むことを特徴とするフィルター芯の固定装置。
【請求項２】
請求項１記載のフィルター芯の固定装置において、前記第二固定部品は、更にパッド片を含み、該パッド片は環状でカップ台内に設置することを特徴とするフィルター芯の固定装置。
【請求項３】
請求項１記載のフィルター芯の固定装置において、前記第二固定部品は、すべて集水板面に固定されることを特徴とするフィルター芯の固定装置。
【請求項４】
請求項１記載のフィルター芯の固定装置において、前記集水板は、下面に他に少なくとも一つの固定台を具え、各固定台は第二固定部品に対応し、該固定台はパッド片抜取ユニットを螺設し、該パッド片抜取ユニットは第二固定部品の出水孔とフィルター芯の出水空間内に設置し、該固定台、パッド片抜取ユニットは該第二固定部品の出水孔を封鎖しないことを特徴とするフィルター芯の固定装置。
【請求項５】
請求項４記載のフィルター芯の固定装置において、前記パッド片抜取ユニットは、補助桿及び受盤を含み、該受盤の箇所には複数の貫通孔を具え、該受盤の最大直径はフィルター芯の外径より大きく、且つ出水空間の内径より大きく、該受盤は補助桿の底部に近い区段に結合し、組立時には該補助桿は固定台箇所に固定し、受盤はフィルター芯の下方位置に設置することを特徴とするフィルター芯の固定装置。
【請求項６】
請求項１記載のフィルター芯の固定装置において、前記第一固定部品は、更にパッド片を含み、該パッド片はナット蓋内に設置することを特徴とするフィルター芯の固定装置。
【請求項７】
請求項１記載のフィルター芯の固定装置において、前記第一固定部品は、ナット蓋、バネ及び定位部品を含み、該バネの一端はナット蓋の最上部に結合し、別一端は定位部品の底部に合わせ、該定位部品最上部は他に円筒形の突出した突部を具えることを特徴とするフィルター芯の固定装置。
【請求項８】
請求項７記載のフィルター芯の固定装置において、前記第一固定部品は、濾過設備内部の別の固定ユニットに固定され、該固定ユニットは、圧板、複数本の連接桿、複数個のナットを含み、該圧板箇所には少なくとも一つの定位孔及び複数の結合孔を具え、該連接桿の底部は集水板箇所で結合し、組立時、該圧板は該第一固定部品の最上部に押圧し、該第一固定部品の定位部品の突部は定位孔内に位置して連接桿の最上部段は圧板の結合孔から圧板上方位置を通り、該ナットは連接桿の最上部区段で螺設して圧板で押し、第一固定部品、フィルター芯を濾過設備内で固定することを特徴とするフィルター芯の固定装置。
【手続補正２】
【補正対象書類名】明細書
【補正対象項目名】０００７
【補正方法】変更
【補正の内容】
【０００７】
請求項１の考案は、濾過設備内部に設置し、該濾過設備内部には集水板を具え、該濾過設備内部は集水板を境とし、上方は進水空間で下方は出水空間を形成し、進水空間に設置するフィルター芯の固定装置において、
前述の濾過設備内の上層位置に固定され、ナット蓋を具える少なくとも一つの第一固定部品と、
前述の濾過設備内の下層位置に固定してカップ台を具え、該カップ台の中心には出水孔を具え、該出水孔は該前述の出水空間と相互に連通する少なくとも一つの第二固定部品と、
中心に出水空間を具え、最上部は前述のナット蓋を被せ、底部は前述のカップ台で受け、最上端面及び底端面を密封して濾過設備内部で固定する少なくとも一つのフィルター芯を含むことを特徴とするフィルター芯の固定装置としている。
請求項２の考案は、請求項１記載のフィルター芯の固定装置において、前記第二固定部品は、更にパッド片を含み、該パッド片は環状でカップ台内に設置することを特徴とするフィルター芯の固定装置としている。
請求項３の考案は、請求項１記載のフィルター芯の固定装置において、前記第二固定部品は、すべて集水板面に固定されることを特徴とするフィルター芯の固定装置としている。
請求項４の考案は、請求項１記載のフィルター芯の固定装置において、前記集水板は、下面に他に少なくとも一つの固定台を具え、各固定台は第二固定部品に対応し、該固定台はパッド片抜取ユニットを螺設し、該パッド片抜取ユニットは第二固定部品の出水孔とフィルター芯の出水空間内に設置し、該固定台、パッド片抜取ユニットは該第二固定部品の出水孔を封鎖しないことを特徴とするフィルター芯の固定装置としている。
請求項５の考案は、請求項４記載のフィルター芯の固定装置において、前記パッド片抜取ユニットは、補助桿及び受盤を含み、該受盤の箇所には複数の貫通孔を具え、該受盤の最大直径はフィルター芯の外径より大きく、且つ出水空間の内径より大きく、該受盤は補助桿の底部に近い区段に結合し、組立時には該補助桿は固定台箇所に固定し、受盤はフィルター芯の下方位置に設置することを特徴とするフィルター芯の固定装置としている。
請求項６の考案は、請求項１記載のフィルター芯の固定装置において、前記第一固定部品は、更にパッド片を含み、該パッド片はナット蓋内に設置することを特徴とするフィルター芯の固定装置としている。
請求項７の考案は、請求項１記載のフィルター芯の固定装置において、前記第一固定部品は、ナット蓋、バネ及び定位部品を含み、該バネの一端はナット蓋の最上部に結合し、別一端は定位部品の底部に合わせ、該定位部品最上部は他に円筒形の突出した突部を具えることを特徴とするフィルター芯の固定装置としている。
請求項８の考案は、請求項７記載のフィルター芯の固定装置において、前記第一固定部品は、濾過設備内部の別の固定ユニットに固定され、該固定ユニットは、圧板、複数本の連接桿、複数個のナットを含み、該圧板箇所には少なくとも一つの定位孔及び複数の結合孔を具え、該連接桿の底部は集水板箇所で結合し、組立時、該圧板は該第一固定部品の最上部に押圧し、該第一固定部品の定位部品の突部は定位孔内に位置して連接桿の最上部段は圧板の結合孔から圧板上方位置を通り、該ナットは連接桿の最上部区段で螺設して圧板で押し、第一固定部品、フィルター芯を濾過設備内で固定することを特徴とするフィルター芯の固定装置としている。